(57)【要約】【課題】化粧カバーを設ける必要性を無くして高いデザイン性を実現できる吐水装置を提供すること。【解決手段】本発明は、水を吐水する吐水装置であって、流量調整機構または温度調整機構と、前記流量調整機構または前記温度調整機構を操作するためのハンドルと、を備え、前記ハンドルは、操作者が前記ハンドルを操作する際に接触する接触部を有するハンドルカバーと、前記ハンドルカバーの内部に設けられ、当該ハンドルカバーにネジを介して固定されて当該ハンドルカバーの前記接触部に対する操作力を前記流量調整機構または前記温度調整機構に伝達するハンドルコアと、を有しており、前記ハンドルコアは、前記ネジが貫通する開口を有し、前記ハンドルカバーは、前記ネジが螺合される固定孔を有し、前記ネジは、前記ハンドルカバーの前記接触部と逆側において、前記ハンドルコアの前記開口に挿入されてから、前記ハンドルカバーの前記固定孔に螺合されるようになっている。【選択図】図６
2019148074.tif 000002
【特許請求の範囲】
【請求項１】
水を吐水する吐水装置であって、
吐水する流量または温度を調整する流量調整機構または温度調整機構と、
前記流量調整機構または前記温度調整機構を操作するためのハンドルと、
を備え、
前記ハンドルは、
操作者が前記ハンドルを操作する際に接触する接触部を有するハンドルカバーと、
前記ハンドルカバーの内部に設けられ、当該ハンドルカバーにネジを介して固定されて当該ハンドルカバーの前記接触部に対する操作力を前記流量調整機構または前記温度調整機構に伝達するハンドルコアと、
を有しており、
前記ハンドルコアは、前記ネジが貫通する開口を有し、
前記ハンドルカバーは、前記ネジが螺合される固定孔を有し、
前記ネジは、前記ハンドルカバーの前記接触部と逆側において、前記ハンドルコアの前記開口に挿入されてから、前記ハンドルカバーの前記固定孔に螺合されるようになっている
ことを特徴とする吐水装置。
【請求項２】
前記流量調整機構または前記温度調整機構は、吐水する流量または温度を調整するための弁体と、当該弁体を操作するためのレバー部と、を有しており、
前記レバー部には、延長部材が固定されており、
前記ハンドルコアは、前記延長部材に対して固定されている
ことを特徴とする請求項１に記載の吐水装置。
【請求項３】
前記延長部材が前記レバー部から抜けることを防止する抜け止め部材
が更に設けられていることを特徴とする請求項２に記載の吐水装置。
【請求項４】
前記ハンドルコアと前記延長部材とは、第２ネジを介して固定されており、
前記ハンドルコアは、前記第２ネジが貫通する開口を有し、
前記延長部材に、前記第２ネジの先端を受ける第２ネジ受け部が設けられている
ことを特徴とする請求項２または３に記載の吐水装置。
【請求項５】
前記第２ネジ受け部は、前記延長部材の先端に設けられたブッシュ部材によって提供されている
ことを特徴とする請求項４に記載の吐水装置。
【発明の詳細な説明】
【技術分野】
【０００１】
本発明は、流量調整機構または温度調整機構を操作するためのハンドルを備えた吐水装置に関する。
【背景技術】
【０００２】
従来から、流量調整機構または温度調整機構を操作するためのハンドルを備えた吐水装置が知られている。
【０００３】
図１３に、従来のハンドル５０の断面図を示す。図１３に示すように、従来のハンドル５０は、操作者によって操作される接触部を提供するハンドルカバー５１と、当該ハンドルカバー５１の内部に設けられ接触部に対する操作力を流量調整機構または温度調整機構に伝達するハンドルコア５２と、を有している。
【０００４】
図１３に示すように、従来のハンドルカバー５１は、ネジ５３が貫通する開口を有し、ハンドルコア５２に、ネジ５３が螺合される固定孔が設けられている。ネジ５３は、ハンドルカバー５１の上面側（接触部の側）からハンドルカバー５１の開口に挿入され、その後、ハンドルコア５２の固定孔に螺合される。
【０００５】
そして、ネジ５３の頭部を隠すように、ハンドルカバー５１の上面が化粧カバー５４で覆われている。
【０００６】
以上のような従来構成のハンドルを備えた水栓装置の従来例が、特許文献１に記載されている。
【先行技術文献】
【特許文献】
【０００７】
【特許文献１】特開２０１７−  ３１６８９号公報
【発明の概要】
【発明が解決しようとする課題】
【０００８】
前述した従来構成のハンドルは、ハンドルカバー５１とハンドルコア５２とがネジ５３の螺合を利用して堅固に固定されているので、操作性に優れている。
【０００９】
しかしながら、ハンドルカバ−５１の上面に化粧カバー５４を設ける構成であるため、いわゆる割り線が視認されてしまって、デザイン性が低いとの指摘がなされていた。
【００１０】
本件発明者は、ネジを裏側から取り付けることによって、化粧カバーを設ける必要性を無くすことが効果的であるとの知見を得た。
【００１１】
本発明は、以上のような知見に基づいてなされたものである。本発明の目的は、ハンドルカバーとハンドルコアとをネジの螺合を利用して堅固に固定する一方で、化粧カバーを設ける必要性を無くして高いデザイン性を実現できる吐水装置を提供することである。
【課題を解決するための手段】
【００１２】
本発明は、水を吐水する吐水装置であって、吐水する流量または温度を調整する流量調整機構または温度調整機構と、前記流量調整機構または前記温度調整機構を操作するためのハンドルと、を備え、前記ハンドルは、操作者が前記ハンドルを操作する際に接触する接触部を有するハンドルカバーと、前記ハンドルカバーの内部に設けられ、当該ハンドルカバーにネジを介して固定されて当該ハンドルカバーの前記接触部に対する操作力を前記流量調整機構または前記温度調整機構に伝達するハンドルコアと、を有しており、前記ハンドルコアは、前記ネジが貫通する開口を有し、前記ハンドルカバーは、前記ネジが螺合される固定孔を有し、前記ネジは、前記ハンドルカバーの前記接触部と逆側において、前記ハンドルコアの前記開口に挿入されてから、前記ハンドルカバーの前記固定孔に螺合されるようになっていることを特徴とする吐水装置である。
【００１３】
本発明によれば、ネジが、ハンドルカバーの接触部と逆側において、ハンドルコアの開口に挿入されてからハンドルカバーの固定孔に螺合されるようになっていることにより、ハンドルカバーの接触部の側にネジの頭部が露出することがない。従って、ハンドルカバーの接触部の側に化粧カバーを設ける必要がなく、ハンドルカバーの接触部の側で割り線が視認されてしまうという問題が生じない。一方、ハンドルカバーとハンドルコアとは、ネジの螺合を利用して堅固に固定されるため、優れた操作性を保証できる。
【００１４】
例えば、流量調整機構または温度調整機構は、吐水する流量または温度を調整するための弁体と、当該弁体を操作するためのレバー部と、を有している。この場合、前記レバー部には、延長部材が固定されて、前記ハンドルコアは、前記延長部材に対して固定されていることが好ましい。このような構成によって、流量調整機構または温度調整機構に対して、ハンドルカバーの設置位置を任意の高さに容易に設定することができる。
【００１５】
この場合、更に、延長部材がレバー部から抜けることを防止する抜け止め部材が設けられていることが好ましい。このような構成によって、延長部材がレバー部から抜けることが効果的に防止され得る。
【００１６】
また、ハンドルコアと延長部材とは、第２ネジを介して固定されており、ハンドルコアは、第２ネジが貫通する開口を有し、延長部材に第２ネジの先端を受ける第２ネジ受け部が設けられていることが好ましい。このような構成によって、ハンドルコアと延長部材とが互いに確実に固定され得る。
【００１７】
この場合、更に、第２ネジ受け部が延長部材の先端に設けられたブッシュ部材によって提供されていることが好ましい。このような構成によって、例えばブッシュ部材が摩耗した場合、交換等のメンテナンスが容易である。
【発明の効果】
【００１８】
本発明によれば、ネジが、ハンドルカバーの接触部と逆側において、ハンドルコアの開口に挿入されてからハンドルカバーの固定孔に螺合されるようになっていることにより、ハンドルカバーの接触部の側にネジの頭部が露出することがない。従って、ハンドルカバーの接触部の側に化粧カバーを設ける必要がなく、ハンドルカバーの接触部の側で割り線が視認されてしまうという問題が生じない。一方、ハンドルカバーとハンドルコアとは、ネジの螺合を利用して堅固に固定されるため、優れた操作性を保証できる。
【図面の簡単な説明】
【００１９】
【図１】本発明の一実施形態による吐水装置の概略正面図である。
【図２】図１の吐水装置の温調用ハンドル及び流調用ハンドルの斜視図である。
【図３】図２の温調用ハンドル及び流調用ハンドルの分解斜視図である。
【図４】図２の温調用ハンドル及び流調用ハンドルのハンドルカバーの底面図である。
【図５】ハンドルカバーの内部にハンドルコアが位置合わせされた状態の底面図である。
【図６】ハンドルカバーとハンドルコアとがネジによって結合された状態を示す縦断面図である。
【図７】温度調整機構及び流量調整機構に接続プレートが取り付けられた状態を示す斜視図である。
【図８】温度調整機構及び流量調整機構のレバー部に延長部材が嵌合された状態を示す斜視図である。
【図９】接続プレートに抜け止め部材が取り付けられた状態を示す斜視図である。
【図１０】延長部材の先端にブッシュ部材が取り付けられる状態を示す斜視図である。
【図１１】第２ネジ部材の取り付け前のハンドル並びに温度調整機構または流量調整機構の縦断面図である。
【図１２】第２ネジ部材の取り付け後のハンドル並びに温度調整機構または流量調整機構の縦断面図である。
【図１３】従来のハンドルカバーとハンドルコアとがネジによって結合された状態を示す断面図である。
【発明を実施するための形態】
【００２０】
次に、添付図面を参照して、本発明の一実施形態による吐水装置について説明する。
【００２１】
図１は、本発明の一実施形態による吐水装置１の概略正面図である。図１に示すように、吐水装置１は、水回り設備、例えば浴室、キッチン、洗面台等の壁面に取付けられるカウンター一体型の吐水装置である。吐水装置１の箱体２の上面は、平坦に形成され、物を置くためのカウンターとして使用することができる。
【００２２】
吐水装置１には、壁面に設けられた給湯源（図示せず）から延びる湯供給管６と、壁面に設けられた給水源（図示せず）から延びる水供給管８と、が接続されている。また、吐水装置１の下部にカラン１０が設けられている。また、吐水装置１の側部には、シャワーホース１２ａを介してシャワーヘッド１２が接続されている。
【００２３】
そして、吐水装置１の前面側の上方に、カラン吐水用タッチ操作部１４及びシャワー吐水用タッチ操作部１６が設けられている。また、吐水装置１の前面側の左方に温調用ハンドル２０が設けられ、吐水装置１の前面側の略中央に流調用ハンドル３０が設けられている。
【００２４】
本実施形態の吐水装置１は、操作者がカラン吐水用タッチ操作部１４をタッチ操作（押込み操作）することにより、止水状態と、カラン１０からの吐水状態と、を切り替えることができる。また、操作者がシャワー吐水用タッチ操作部１６をタッチ操作（押込み操作）することにより、シャワーヘッド１２からの吐水状態と止水状態と、を切り替えることができる。
【００２５】
また、吐水装置１は、温調用ハンドル２０を回動操作することにより、後述する温度調整機構２９の作用により吐水温度を調整することができる。また、流調用ハンドル３０を回動操作することにより、後述する流量調整機構３９の作用により吐水流量を調整することができる。
【００２６】
続いて、図２は、温調用ハンドル２０及び流調用ハンドル３０の斜視図であり、図３は、図２の温調用ハンドル２０及び流調用ハンドル３０の分解斜視図である。本実施形態では、温調用ハンドル２０と流調用ハンドル３０の構成は同一であるため、図示の内容も共通である。
【００２７】
本実施形態の吐水装置１は、吐水の温度を調整する温度調整機構２９と、吐水の流量を調整する流量調整機構３９と、を備えている。そして、温度調整機構２９を操作するために温調用ハンドル２０が設けられており、流量調整機構３９を操作するために流調用ハンドル３０が設けられている。
【００２８】
本実施形態では、温度調整機構２９と流量調整機構３９についても略同一の構成であるため、これらの図示の内容も共通である。もっとも、温度調整機構２９の方が流量調整機構３９よりもサイズが小さいことが一般的である。
【００２９】
後述するように、温度調整機構２９と流量調整機構３９は、吐水する温度または流量を調整するための弁体２９ｂ、３９ｂと、当該弁体２９ｂ、３９ｂを操作するためのレバー部２９ａ、３９ａと、を有している（図１１参照）。そして、図３に示すように、当該レバー部２９ａ、３９ａに延長部材２６、３６が固定され、ハンドルコア２２、３２が当該延長部材２６、３６に対して固定されるようになっている。
【００３０】
図３に示すように、各ハンドル２０、３０は、操作者がハンドル２０、３０を操作する際に接触する接触部を有するハンドルカバー２１、３１と、ハンドルカバー２１、３１の内部に設けられ当該ハンドルカバー２１、３１にネジ２３、３３を介して固定されたハンドルコア２２、３２と、を有している。
【００３１】
ハンドルカバー２１、３１とハンドルコア２２、３２とがネジ２３、３３の螺合を利用して堅固に固定されているため、ハンドルカバー２１、３１の接触部に対する操作力が、ハンドルコア２２、３２及び延長部材２６、３６を介して、温度調整機構２９または流量調整機構３９に確実に伝達されるようになっている。
【００３２】
ネジ２３、３３による固定について更に詳細に説明すれば、図４は、ハンドルカバー２１、３１の底面図であり、直径方向に対向する２箇所に、ネジ２３、３３が螺合される固定孔２１ｓ、３１ｓが設けられている。
【００３３】
図５は、ハンドルカバー２１、３１の内部にハンドルコア２２、３２が位置合わせされた状態の底面図である。ハンドルコア２２、３２には、ネジ２３、３３が貫通する開口２２ｓ、３２ｓが設けられていて、それら開口２２ｓ、３２ｓの位置はハンドルカバー２１、３１の固定孔２１ｓ、３１ｓの位置に対応している。
【００３４】
そして、図６は、ハンドルカバー２１、３１とハンドルコア２２、３２とがネジ２３、３３によって結合された状態を示す縦断面図である。図６から明らかなように、ネジ２３、３３はハンドルカバー２１、３１の操作面の側から視認されないので、従来技術のように化粧カバーを設ける必要がない。これにより、割り線が視認されるという問題が生じない。
【００３５】
続いて、温度調整機構２９及び流量調整機構３９にハンドル２０、３０（ハンドルカバー２１、３１とハンドルコア２２、３２とがネジ２３、３３によって結合されたもの：図６参照）を取り付ける手順について説明する。
【００３６】
図３及び図７に示すように、温度調整機構２９及び流量調整機構３９のレバー部２９ａ、３９ａが露出している面に、４本の長ネジ２８、３８を用いて、接続プレート２７、３７が取り付けられる。
【００３７】
次いで、図８に示すように、温度調整機構２９及び流量調整機構３９のレバー部２９ａ、３９ａに、略円筒状の延長部材２６、３６の一端部が嵌合固定される（当該一端部にレバー部２９ａ、３９ａの形状に対応する孔が設けられている）。延長部材２６、３６の側面の一部には、後述する抜け止め部材２５、３５によって係止される段部２６ｓ、３６ｓが設けられている。また、延長部材２６、３６の他端部（先端部）には、後述するように、止めネジ４１によってブッシュ部材４２が固定されている（図１０参照）。
【００３８】
そして、図３及び図９に示すように、抜け止め部材２５、３５が、２本のネジ２４、３４によって接続プレート２７、３８に取り付けられる。これにより、抜け止め部材２５、３５の内面側に突出する突部２５ｐ、３５ｐ（図１１参照）が、延長部材２６、３６の段部２６ｓ、３６ｓを係止することによって、延長部材２６、３６が抜けてしまうことを効果的に防止する。
【００３９】
ここで、図１０に示すように、本実施形態の延長部材２６、３６は、その先端において、止めネジ４１によって円環状のブッシュ部材４２が固定されている。ブッシュ部材４２の外側面には、周状の当接溝４２ｇが形成されており、後述する第２ネジ４３の先端を受けるようになっている。
【００４０】
そして、このブッシュ部材４２を覆うように、ハンドル２０、３０（ハンドルカバー２１、３１とハンドルコア２２、３２とがネジ２３、３３によって結合されたもの：図６参照）が取り付けられる。具体的には、延長部材２６、３６の先端がハンドルコア２２、３２の中空部２２ｈ、３２ｈ（図６参照）に挿入されていく。
【００４１】
ここで、図１１に示すように、ハンドルコア２２、３２には、第２ネジ４３が貫通するための横向き開口２１ｂ、３１ｂが設けられている。そして、頭部が拡径していない第２ネジ４３（通常イモネジと呼ばれる）が、横向き開口２１ｂ、３１ｂを貫通して、ブッシュ部材４２の当接溝４２ｇの一部をネジ切ることで当該ブッシュ部材４２と結合するようになっている（図１２参照）。
【００４２】
なお、本実施形態の抜け止め部材２５、３５は、ハンドルコア２２、３２の回転範囲を所望の範囲に制限する角度規制部材としても作用するようになっている。
【００４３】
以上の通り、本実施形態の吐水装置１によれば、ネジ２３、３３が、ハンドルカバー２１、３１の接触部と逆側において、ハンドルコア２２、３２の開口２２ｓ、３２ｓに挿入されてからハンドルカバー２１、３１の固定孔２１ｓ、３１ｓに螺合されるようになっている。これにより、ハンドルカバー２１、３１の接触部の側にネジ２３、３３の頭部が露出することがない。従って、ハンドルカバー２１、３１の接触部の側に化粧カバーを設ける必要がなく、ハンドルカバー２１、３１の接触部の側で割り線が視認されてしまうという問題が生じない。
【００４４】
一方、本実施形態の吐水装置１によれば、ハンドルカバー２１、３１とハンドルコア２２、３２とがネジ２３、３３の螺合を利用して堅固に固定されるため、優れた操作性を保証できる。
【００４５】
また、本実施形態の吐水装置１によれば、温度調整機構２９または流量調整機構３９のレバー部２９ａ、３９ａに延長部材２６、３６が固定されて、ハンドルコア２２、３２は延長部材２６、３６に対して固定されている。これにより、温度調整機構２９または流量調整機構３９に対して、各ハンドルカバー２１、３１の設置位置を任意の高さに容易に調整することができる。従って、例えば温度調整機構２９のサイズと流量調整機構３９のサイズとが異なる場合であっても、各ハンドルカバー２１、３１の設置高さを互いに容易に揃えることができる。
【００４６】
また、本実施形態の吐水装置１によれば、延長部材２６、３６がレバー部２９ａ、３９ａから抜けることを防止する抜け止め部材２５、３５が設けられているため、延長部材２６、３６がレバー部２９ａ、３９ａから抜けてしまうことが効果的に防止され得る。
【００４７】
また、本実施形態の吐水装置１によれば、頭部が拡径していない第２ネジ４３が、ハンドルカバー２１、３１の横向き開口２１ｂ、３１ｂを貫通し、ブッシュ部材４２の当接溝４２ｇの一部をネジ切ることで当該ブッシュ部材４２と結合している。これにより、ハンドルコア２１、３１と延長部材２６、３６とが互いに確実に固定され得る。
【００４８】
また、本実施形態の吐水装置１によれば、第２ネジ４３との結合を担う第２ネジ受け部が延長部材２６、３６の先端に設けられたブッシュ部材４２によって提供されているため、例えば当該ブッシュ部材４２が摩耗した場合、交換等のメンテナンスが容易である。
【符号の説明】
【００４９】
１    水栓装置
２    箱体
６    湯供給管
８    水供給管
１０    カラン
１２    シャワーヘッド
１２ａ  シャワーホース
１４    カラン吐水用タッチ操作部
１６    シャワー吐水用タッチ操作部
２０    温調用ハンドル
２１    ハンドルカバー
２１ｂ  横向き開口
２１ｓ  固定孔
２２    ハンドルコア
２２ｓ  開口
２２ｈ  中空部
２３    ネジ
２４    ネジ
２５    抜け止め部材
２５ｐ  突部
２６    延長部材
２６ｓ  段部
２７    接続プレート
２８    長ネジ
２９    温度調整機構
２９ａ  レバー部
２９ｂ  弁体
３０    流調用ハンドル
３１    ハンドルカバー
３１ｂ  横向き開口
３１ｓ  固定孔
３２    ハンドルコア
３２ｓ  開口
３２ｈ  中空部
３３    ネジ
３４    ネジ
３５    抜け止め部材
３５ｐ  突部
３６    延長部材
３６ｓ  段部
３７    接続プレート
３８    長ネジ
３９    温度調整機構
３９ａ  レバー部
３９ｂ  弁体
４１    止めネジ
４２    ブッシュ部材
４２ｇ  当接溝
４３    第２ネジ
５０    従来のハンドル
５１    ハンドルカバー
５２    ハンドルコア
５３    ネジ
５４    化粧カバー
【図１】
2019148074.tif 000003
【図２】
2019148074.tif 000004
【図３】
2019148074.tif 000005
【図４】
2019148074.tif 000006
【図５】
2019148074.tif 000007
【図６】
2019148074.tif 000008
【図７】
2019148074.tif 000009
【図８】
2019148074.tif 000010
【図９】
2019148074.tif 000011
【図１０】
2019148074.tif 000012
【図１１】
2019148074.tif 000013
【図１２】
2019148074.tif 000014
【図１３】
2019148074.tif 000015